【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
電気光学素子と、前記電気光学素子を駆動する駆動トランジスタと、入力信号電圧をサンプリングするサンプリングトランジスタと、表示期間に亘って前記駆動トランジスタのゲート・ソース間電圧を保持するキャパシタとを含む画素回路がマトリクス状に配置されてなる画素アレイ部を有し、
前記サンプリングトランジスタによって前記入力信号電圧が書き込まれている状態において、前記駆動トランジスタのドレイン・ソース間に電流が流れ出すタイミングを第１タイミングとした場合に、
前記第１タイミングから、前記サンプリングトランジスタが導通状態から非導通状態へ切り替わるまでの時間が、前記第１タイミング前の前記駆動トランジスタの（ゲート・ソース間電圧）−（閾値電圧）に反比例する
表示装置。
【請求項２】
前記サンプリングトランジスタを駆動する信号の立ち下がり波形または立ち上がり波形および／または前記サンプリングトランジスタ以外のトランジスタを駆動する信号の立ち下がり波形または立ち上がり波形により、
前記第１タイミングから、前記サンプリングトランジスタが導通状態から非導通状態へ切り替わるまでの時間が、前記第１タイミング前の前記駆動トランジスタの（ゲート・ソース間電圧）−（閾値電圧）に反比例する
請求項１記載の表示装置。
【請求項３】
前記画素回路は、前記駆動トランジスタに選択的に電流を供給する第一のスイッチングトランジスタをさらに有し、
前記第一のスイッチングトランジスタが導通状態に切り替わるタイミングを前記第１タイミングとする
請求項２記載の表示装置。
【請求項４】
前記サンプリングトランジスタが導通状態に切り替わるタイミングを前記第１タイミングとする
請求項１記載の表示装置。
【請求項５】
電気光学素子と、前記電気光学素子を駆動する駆動トランジスタと、入力信号電圧をサンプリングするサンプリングトランジスタと、前記駆動トランジスタのゲートとドレインとの間に接続された第二のスイッチングトランジスタと、表示期間に亘って前記駆動トランジスタのゲート・ソース間電圧を保持するキャパシタとを含む画素回路がマトリクス状に配置されてなる画素アレイ部を有し、
前記サンプリングトランジスタによって前記入力信号電圧が書き込まれている状態において、前記第二のスイッチングトランジスタが導通状態になるタイミングを第１タイミングとした場合に、
前記第１タイミングから、前記第二のスイッチングトランジスタが導通状態から非導通状態へ切り替わるまでの時間が、前記第１タイミング前の前記駆動トランジスタの（ゲート・ソース間電圧）−（閾値電圧）に反比例する
表示装置。
【請求項６】
前記第二のスイッチングトランジスタを駆動する信号の立ち上がり波形または立ち下がり波形により、
前記第１タイミングから、前記第二のスイッチングトランジスタが導通状態から非導通状態へ切り替わるまでの時間が、前記第１タイミング前の前記駆動トランジスタの（ゲート・ソース間電圧）−（閾値電圧）に反比例する
請求項５記載の表示装置。
【請求項７】
電気光学素子と、前記電気光学素子を駆動する駆動トランジスタと、入力信号電圧をサンプリングするサンプリングトランジスタと、前記駆動トランジスタのゲートとドレインとの間に接続された第二のスイッチングトランジスタと、前記入力信号電圧を与えるデータ線と前記駆動トランジスタのドレインとの間に接続された第三のスイッチングトランジスタと、表示期間に亘って前記駆動トランジスタのゲート・ソース間電圧を保持するキャパシタとを含む画素回路がマトリクス状に配置されてなる画素アレイ部を有し、
前記サンプリングトランジスタによって前記入力信号電圧が書き込まれている状態において、前記第三のスイッチングトランジスタが導通状態になるタイミングを第１タイミングとした場合に、
前記第１タイミングから、前記第三のスイッチングトランジスタが導通状態から非導通状態へ切り替わるまでの時間が、前記第１タイミング前の前記駆動トランジスタの（ゲート・ソース間電圧）−（閾値電圧）に反比例する
表示装置。
【請求項８】
前記第三のスイッチングトランジスタを駆動する信号の立ち上がり波形または立ち下がり波形により、
前記第１タイミングから、前記第三のスイッチングトランジスタが導通状態から非導通状態へ切り替わるまでの時間が、前記第１タイミング前の前記駆動トランジスタの（ゲート・ソース間電圧）−（閾値電圧）に反比例する
請求項７記載の表示装置。
【請求項９】
電気光学素子と、前記電気光学素子を駆動する駆動トランジスタと、入力信号電圧をサンプリングするサンプリングトランジスタと、表示期間に亘って前記駆動トランジスタのゲート・ソース間電圧を保持するキャパシタとを含む画素回路がマトリクス状に配置されてなる表示装置の駆動に当たって、
前記サンプリングトランジスタによって前記入力信号電圧が書き込まれている状態において、前記駆動トランジスタのドレイン・ソース間に電流が流れ出すタイミングを第１タイミングとした場合に、
前記第１タイミングから、前記サンプリングトランジスタが導通状態から非導通状態へ切り替わるまでの時間が、前記第１タイミング前の前記駆動トランジスタの（ゲート・ソース間電圧）−（閾値電圧）に反比例する
表示装置の駆動方法。
【手続補正２】
【補正対象書類名】明細書
【補正対象項目名】００１４
【補正方法】変更
【補正の内容】
【００１４】
上記目的を達成するために、本発明は、
電気光学素子と、前記電気光学素子を駆動する駆動トランジスタと、入力信号電圧をサンプリングするサンプリングトランジスタと、表示期間に亘って前記駆動トランジスタのゲート・ソース間電圧を保持するキャパシタとを含む画素回路がマトリクス状に配置されてなる表示装置において、
前記サンプリングトランジスタによって前記入力信号電圧が書き込まれている状態において、前記駆動トランジスタのドレイン・ソース間に電流が流れ出すタイミングを第１タイミングとした場合に、
前記第１タイミングから、前記サンプリングトランジスタが導通状態から非導通状態へ切り替わるまでの時間が、前記第１タイミング前の前記駆動トランジスタの（ゲート・ソース間電圧）−（閾値電圧）に反比例する
構成を採っている。
【手続補正３】
【補正対象書類名】明細書
【補正対象項目名】００１５
【補正方法】変更
【補正の内容】
【００１５】
上記構成の表示装置において、駆動トランジスタのドレイン・ソース間電流を当該駆動トランジスタのゲート入力側に負帰還させることで、移動度の異なる画素のドレイン・ソース間電流の電流値が均一化され、その結果、移動度のバラツキの補正が達成される。この負帰還における帰還量は、移動度の補正時間を調整することによって最適化が可能である。この最適な移動度補正時間は、入力信号電圧が大きくなると逆に小さくなる。すなわち、最適な移動度補正時間と入力信号電圧とは反比例の関係にある。したがって、前記第１タイミングから、前記サンプリングトランジスタが導通状態から非導通状態へ切り替わるまでの時間が、前記第１タイミング前の前記駆動トランジスタの（ゲート・ソース間電圧）−（閾値電圧）に反比例するように設定することで、黒レベルから白レベルまで入力信号電圧の全レベル範囲に亘って駆動トランジスタのドレイン・ソース間電流の移動度に対する依存性をより確実に打ち消すことができる。
【手続補正４】
【補正対象書類名】明細書
【補正対象項目名】００５２
【補正方法】変更
【補正の内容】
【００５２】
スイッチングトランジスタ３４が導通状態になることで、電源電位ＶＤＤから駆動トランジスタ３２への電流供給が開始されるために、画素回路１１は非発光期間から発光期間に入る。ここで、スイッチングトランジスタ３４が導通状態になり、駆動トランジスタ３２のソース・ドレイン間に電流が流れ出すタイミング（時刻ｔ６）を第１タイミングとする。このように、サンプリングトランジスタ３３がまだ導通状態にある期間、即ちサンプリング期間の後部分と発光期間の先頭部分とが重なる期間ｔ６−ｔ７において、駆動トランジスタ３２のドレイン・ソース間電流Ｉｄｓの移動度μに対する依存性を打ち消す移動度補正を行うことになる。
【手続補正５】
【補正対象書類名】明細書
【補正対象項目名】００８６
【補正方法】変更
【補正の内容】
【００８６】
式（８）より、入力信号電圧Ｖｓｉｇ（＝Ｖｄａｔａ）が大きくなると、最適な移動度補正時間ｔが小さくなることがわかる。すなわち、最適な移動度補正時間ｔと入力信号電圧Ｖｓｉｇとは反比例の関係にあることがわかる。換言すれば、第１タイミング（時刻ｔ６）からサンプリングトランジスタ３３が導通状態から非導通状態へ切り替わるまでの時間、即ち移動度補正時間ｔを、第１タイミング前の駆動トランジスタ３２の（ゲート・ソース間電圧Ｖｇｓ）−（閾値電圧Ｖｔｈ）、即ち実効的な入力信号電圧Ｖｄａｔａに反比例するように設定する。この設定により、駆動トランジスタ３２のドレイン・ソース間電流Ｉｄｓの移動度μに対する依存性を打ち消すことができる。
【手続補正６】
【補正対象書類名】明細書
【補正対象項目名】０１１３
【補正方法】変更
【補正の内容】
【０１１３】
図１１の回路構成において、電流源の数を増やすことにより、折れ点の数を増やすことができるとともに、電流源の各々の電流値を所望の値に選定することにより、図７の立ち下がり特性に近似した折れ線の立ち下がり波形を持つ書き込み信号ＷＳを生成することができることになる。
【手続補正７】
【補正対象書類名】明細書
【補正対象項目名】０１５５
【補正方法】変更
【補正の内容】
【０１５５】
駆動トランジスタ５２のゲートに印加される実効的な入力信号電圧Ｖｄａｔａに反比例する立ち上がり波形を持つ第三補正用走査信号ＡＺ３については、第一補正用走査信号ＡＺ１と同様に、図９に示したＶＤＤＸｘ生成回路４０と同じ原理（極性が逆）を用いて、駆動トランジスタ５２のゲートに印加される実効的な入力信号電圧Ｖｄａｔａに反比例する立ち上がり波形を持つアナログ波形の電源電位ＶＳＳＶｘを生成し、この電源電位ＶＳＳＶｘを図８に示した書き込み走査回路１８と同じ構成の第三補正用走査回路のバッファ１８２（ｉ），１８３（ｉ）の各々に負側の電源電位として供給することによって生成できる。
【手続補正８】
【補正対象書類名】図面
【補正対象項目名】図２１
【補正方法】変更
【補正の内容】
【図２１】
2008039875.tif 000001